(57)【要約】【課題】表示装置において列ごとの輝度差を低減する技術を提供する。【解決手段】１つの選択回路に１つの表示ブロックが対応するように複数の選択回路と複数の表示ブロックとが配される表示装置であって、複数の表示ブロックのそれぞれは、複数の、列方向に延在する信号線と、複数の信号線の何れかにそれぞれ接続され、列方向および行方向に行列状に配された複数の画素と、を含み、複数の画素のそれぞれは、発光素子を含み、複数の選択回路のそれぞれは、複数の画素のうち行方向に並ぶ画素それぞれに画像信号が書き込まれるように、複数の信号線のうち画像信号を供給する信号線を切替え、１つのフレーム期間において、行方向に並ぶ画素のうち第１行に配される各画素に対応する複数の信号線が選択される順番と、行方向に並ぶ画素のうち第１行とは異なる第２行に配される各画素に対応する複数の信号線が選択される順番と、が互いに異なる。【選択図】図６
2018200343.tif 000002
【特許請求の範囲】
【請求項１】
１つの選択回路に１つの表示ブロックが対応するように複数の選択回路と複数の表示ブロックとが配される表示装置であって、
前記複数の表示ブロックのそれぞれは、複数の、列方向に延在する信号線と、前記複数の信号線の何れかにそれぞれ接続され、前記列方向および前記列方向と交差する行方向に行列状に配された複数の画素と、を含み、
前記複数の画素のそれぞれは、発光素子を含み、
前記複数の選択回路のそれぞれは、
前記複数の画素のうち前記行方向に並ぶ画素それぞれに画像信号が書き込まれるように、前記複数の信号線のうち画像信号を供給する信号線を切替え、
１つのフレーム期間において、
前記行方向に並ぶ画素のうち第１行に配される各画素に対応する前記複数の信号線が選択される順番と、
前記行方向に並ぶ画素のうち前記第１行とは異なる第２行に配される各画素に対応する前記複数の信号線が選択される順番と、
が互いに異なることを特徴とする表示装置。
【請求項２】
前記複数の選択回路のそれぞれは、１つのフレーム期間において、行列状に配された前記複数の画素の互いに隣り合う行ごとに、前記複数の信号線のうち画像信号を供給する信号線を選択する順番が異なることを特徴とする請求項１に記載の表示装置。
【請求項３】
前記複数の選択回路のそれぞれは、前記複数の画素のうち前記第１行に配される各画素において、第１フレーム期間と前記第１フレーム期間と異なる第２フレーム期間とで、前記第１行に配される各画素に対応する前記複数の信号線のうち画像信号を供給する信号線を選択する順番が異なることを特徴とする請求項１または２に記載の表示装置。
【請求項４】
１つの選択回路に１つの表示ブロックが対応するように複数の選択回路と複数の表示ブロックとが配される表示装置であって、
前記複数の表示ブロックのそれぞれは、複数の、列方向に延在する信号線と、前記複数の信号線の何れかにそれぞれ接続され、前記列方向および前記列方向と交差する行方向に行列状に配された複数の画素と、を含み、
前記複数の画素のそれぞれは、発光素子を含み、
前記複数の選択回路のそれぞれは、
前記複数の画素のうち前記行方向に並ぶ画素それぞれに画像信号が書き込まれるように、前記複数の信号線のうち画像信号を供給する信号線を切替え、
前記行方向に並ぶ画素のうち第１行に配される各画素において、第１フレーム期間と前記第１フレーム期間と異なる第２フレーム期間とで、前記第１行に配される各画素に対応する前記複数の信号線のうち画像信号を供給する信号線を選択する順番が異なることを特徴とする表示装置。
【請求項５】
前記複数の選択回路のそれぞれは、前記第１行において、互いに隣り合うフレーム期間ごとに、前記複数の信号線のうち画像信号を供給する信号線を選択する順番が異なることを特徴とする請求項３または４に記載の表示装置。
【請求項６】
前記順番は、第１の順番と第２の順番とを含み、
前記第１の順番と前記第２の順番とで、前記複数の信号線のうち画像信号を供給する信号線を選択する順番が、逆の順番であることを特徴とする請求項１乃至５の何れか１項に記載の表示装置。
【請求項７】
前記複数の選択回路のそれぞれは、
前記第１の順番において、前記複数の信号線のうち前記行方向に並ぶ一端の側から他端の側の順番で画像信号を供給する信号線を選択し、
前記第２の順番において、前記複数の信号線のうち前記行方向に並ぶ前記他端の側から前記一端の側の順番で画像信号を供給する信号線を選択することを特徴とする請求項６に記載の表示装置。
【請求項８】
前記複数の選択回路のそれぞれは、
前記第１の順番において、前記複数の信号線のうち外側に配された信号線から内側に配された信号線の順番で画像信号を供給する信号線を選択し、
前記第２の順番において、前記複数の信号線のうち前記内側に配された信号線から前記外側に配された信号線の順番で画像信号を供給する信号線を選択することを特徴とする請求項６に記載の表示装置。
【請求項９】
前記複数の表示ブロックのそれぞれの表示ブロックにおいて、前記複数の信号線に含まれる信号線の数がそれぞれ同じことを特徴とする請求項１乃至８の何れか１項に記載の表示装置。
【請求項１０】
請求項１乃至９の何れか１項に記載の表示装置を含む電子機器。
【請求項１１】
１つの選択回路に１つの表示ブロックが対応するように複数の選択回路と複数の表示ブロックとが配される表示装置の駆動方法であって、
前記複数の表示ブロックのそれぞれは、複数の、列方向に延在する信号線と、前記複数の信号線の何れかにそれぞれ接続され、前記列方向および前記列方向と交差する行方向に行列状に配された複数の画素と、を含み、
前記複数の画素のそれぞれは、発光素子を含み、
前記複数の選択回路のそれぞれは、前記複数の画素のうち前記行方向に並ぶ画素それぞれに画像信号が書き込まれるように、前記複数の信号線のうち画像信号を供給する信号線を切替え、
前記駆動方法は、１つのフレーム期間において、前記行方向に並ぶ画素のうち第１行に配される各画素に対応する前記複数の信号線が選択される順番と、前記行方向に並ぶ画素のうち前記第１行とは異なる第２行に配される各画素に対応する前記複数の信号線が選択される順番と、が互いに異なるように駆動することを特徴とする駆動方法。
【請求項１２】
１つの選択回路に１つの表示ブロックが対応するように複数の選択回路と複数の表示ブロックとが配される表示装置の駆動方法であって、
前記複数の表示ブロックのそれぞれは、複数の、列方向に延在する信号線と、前記複数の信号線の何れかにそれぞれ接続され、前記列方向および前記列方向と交差する行方向に行列状に配された複数の画素と、を含み、
前記複数の画素のそれぞれは、発光素子を含み、
前記複数の選択回路のそれぞれは、前記複数の画素のうち前記行方向に並ぶ画素それぞれに画像信号が書き込まれるように、前記複数の信号線のうち画像信号を供給する信号線を切替え、
前記駆動方法は、前記行方向に並ぶ画素のうち第１行に配される各画素において、前記複数の選択回路のそれぞれが、第１フレーム期間と前記第１フレーム期間と異なる第２フレーム期間とで、前記第１行に配される各画素に対応する前記複数の信号線のうち画像信号を供給する信号線を選択する順番が異なるように駆動することを特徴とする駆動方法。
【発明の詳細な説明】
【技術分野】
【０００１】
本発明は、表示装置、電子機器および表示装置の駆動方法に関する。
【背景技術】
【０００２】
発光する有機材料がもたらす有機エレクトロルミネセンス（ＥＬ）を発光層として利用した発光素子を備える表示装置が注目されている。有機ＥＬを用いた表示装置において、画像用の信号をそれぞれの画素に供給する際、１入力−Ｎ出力型の選択回路を設け、複数の信号線を選択回路ごとのブロックに分け、各ブロック内で出力先を切替えながら画素に信号を供給する構成が知られている。このような選択回路を用いると、駆動回路からすべての信号線に信号を供給する場合と比較して、駆動回路の出力数および出力回路を削減できる。しかしならが、それぞれの水平走査期間内において、選択回路に接続される信号線に同じ順番に信号が供給されるため、画素内でのリーク電流などによって、同じ信号を供給する場合であっても信号線の列ごとに信号の保持時間に応じて信号の電位に差が生じうる。列ごとに信号の電位に差が生じた場合、表示される画面上に列ごとの表示むらが発生し、表示される画像の画質が低下しうる。
【０００３】
特許文献１には、最初に出力先として指定される信号線と最後に出力先として指定される信号線とが隣接しないようすることが示されている。この駆動方法によって、最初に出力先として指定される信号線と最後に出力先として指定される信号線とが隣接するように選択される場合よりも、互いに隣接する列同士の輝度差を小さくすることができる。
【先行技術文献】
【特許文献】
【０００４】
【特許文献１】特開２０１２−２５５８７３号公報
【発明の概要】
【発明が解決しようとする課題】
【０００５】
特許文献１に示される駆動方法では、互いに隣接する列同士の輝度差は小さくなる。しかしながら、選択回路に接続される信号線の列ごとの信号の電位差は、最初に出力先として指定される信号線と最後に出力先として指定される信号線とで変化しないため、列ごとの表示むらが発生し、画質が低下する可能性がある。
【０００６】
本発明は、表示装置において列ごとの輝度差を低減する技術を提供することを目的とする。
【課題を解決するための手段】
【０００７】
上記課題に鑑みて、本発明の実施形態に係る表示装置は、１つの選択回路に１つの表示ブロックが対応するように複数の選択回路と複数の表示ブロックとが配される表示装置であって、複数の表示ブロックのそれぞれは、複数の、列方向に延在する信号線と、複数の信号線の何れかにそれぞれ接続され、列方向および列方向と交差する行方向に行列状に配された複数の画素と、を含み、複数の画素のそれぞれは、発光素子を含み、複数の選択回路のそれぞれは、複数の画素のうち行方向に並ぶ画素それぞれに画像信号が書き込まれるように、複数の信号線のうち画像信号を供給する信号線を切替え、１つのフレーム期間において、行方向に並ぶ画素のうち第１行に配される各画素に対応する複数の信号線が選択される順番と、行方向に並ぶ画素のうち第１行とは異なる第２行に配される各画素に対応する複数の信号線が選択される順番と、が互いに異なることを特徴とする。
【発明の効果】
【０００８】
上記手段によって、表示装置において列ごとの輝度差を低減する技術を提供する。
【図面の簡単な説明】
【０００９】
【図１】本発明の実施形態に係る表示装置の全体概念図。
【図２】図１の表示装置の画素の等価回路図。
【図３】図１の表示装置のインタフェースの概念図。
【図４】比較例の表示装置の選択回路の駆動方法の例を示す図。
【図５】比較例の表示装置の選択回路の駆動方法の例を示す図。
【図６】図１の表示装置の選択回路の駆動方法の例を示す図。
【図７】図１の表示装置の選択回路の駆動方法の例を示す図。
【図８】図１の表示装置の選択回路の駆動方法の例を示す図。
【図９】図１の表示装置の選択回路の駆動方法の例を示す図。
【図１０】図１の表示装置を用いたカメラの構成例を示すブロック図。
【発明を実施するための形態】
【００１０】
以下、本発明に係る表示装置の具体的な実施形態を、添付図面を参照して説明する。なお、以下の説明及び図面において、複数の図面に渡って共通の構成については共通の符号を付している。そのため、複数の図面を相互に参照して共通する構成を説明し、共通の符号を付した構成については適宜説明を省略する。
【００１１】
第１の実施形態
図１〜６を参照して、本発明の実施形態による表示装置の構成およびその駆動方法について説明する。図１は、本発明の第１の実施形態における表示装置１００の一例を示す全体概念図である。この表示装置１００は、発光する有機材料がもたらす有機エレクトロルミネセンス（ＥＬ）を発光層として利用した有機発光素子を備える有機発光ディスプレイとして用いられるものである。
【００１２】
表示装置１００は、表示領域１０１、水平駆動回路１０２、垂直駆動回路１０３、および、接続端子部１０４を含む。表示領域１０１には、画像などを表示するための赤（Ｒ）、緑（Ｇ）、青（Ｂ）を１画素とする複数の画素が、行列状に配されている。それぞれの画素には、赤（Ｒ）、緑（Ｇ）、青（Ｂ）の各色を発光する有機発光素子が配され、１つ１つの有機発光素子ごとに、有機発光素子を駆動するための駆動回路が配される。本実施形態において、１つの画素には、赤（Ｒ）、緑（Ｇ）、青（Ｂ）の３色の有機発光素子が配される例を述べるが、これに限られることはない。例えば、単色のみを表示する表示装置の場合、１つの色の有機発光素子が、１つの画素を構成していてもよい。水平駆動回路１０２は、各画素に輝度情報などの画像データの信号を出力する回路である。垂直駆動回路１０３は、各画素の駆動回路を制御するための信号を出力する回路である。接続端子部１０４は、水平駆動回路１０２、垂直駆動回路１０３にクロック信号や画像データ信号などを入力する端子であり、配線（不図示）によって、水平駆動回路１０２、垂直駆動回路１０３と接続されている。
【００１３】
次に、本実施形態の有機発光装置に用いられる画素について説明する。上述したように、１つの画素には、赤（Ｒ）、緑（Ｇ）、青（Ｂ）の３色の有機発光素子が配されるが、説明のため、図２の画素１１０には、３色のうち１つの色の有機発光素子１１１に対する駆動回路が示される。図２に示される構成において、画素１１０は、発光素子に流れる電流に応じて発光輝度が変化する電流駆動型の有機発光素子１１１と、有機発光素子１１１を駆動する駆動回路と、を含む。有機発光素子１１１は、表示領域１０１に配されるすべての画素の有機発光素子に対して共通に配された共通電源１２５にカソード電極が接続される。
【００１４】
有機発光素子１１１を駆動するための駆動回路は、駆動トランジスタ１１２、選択トランジスタ１１３、スイッチングトランジスタ１１４、１１５、および、容量素子１１６、１１７を含む。本実施形態において、駆動トランジスタ１１２、選択トランジスタ１１３、スイッチングトランジスタ１１４、１１５には、それぞれｐチャネル型のトランジスタ（ＰＭＯＳトランジスタ）が用いられる。
【００１５】
駆動トランジスタ１１２は、有機発光素子１１１に直列に接続されることによって、有機発光素子１１１に対して駆動電流を供給する。具体的には、駆動トランジスタ１１２のドレイン電極が、有機発光素子１１１のアノード電極に接続されている。
【００１６】
選択トランジスタ１１３は、ゲート電極が走査線１２１に接続され、ソース電極が信号線１２４に接続され、ドレイン電極が駆動トランジスタ１１２のゲート電極に接続されている。選択トランジスタ１１３のゲート電極には、垂直駆動回路１０３から走査線１２１を介して信号が印加される。
【００１７】
スイッチングトランジスタ１１４は、ゲート電極が走査線１２２に接続され、ソース電極が電源電位ＶＤＤに接続され、ドレイン電極が駆動トランジスタ１１２のソース電極に接続されている。スイッチングトランジスタ１１４のゲート電極には、垂直駆動回路１０３から走査線１２２を介して有機発光素子１１１の発光を制御するための信号が印加される。スイッチングトランジスタ１１５は、ゲート電極が走査線１２３に接続され、ソース電極が電源電位ＶＳＳに接続され、ドレイン電極が有機発光素子１１１のアノード電極に接続されている。スイッチングトランジスタ１１５のゲート電極には、垂直駆動回路１０３から走査線１２３を通して有機発光素子１１１のアノード電極の電位を制御するための信号が印加される。
【００１８】
容量素子１１６は、駆動トランジスタ１１２のゲート電極とソース電極との間に接続されている。容量素子１１７は、駆動トランジスタ１１２のソース電極と第一電源電位ＶＤＤとの間に接続されている。
【００１９】
走査線１２１、１２２、１２３が接続される垂直駆動回路１０３は、表示領域１０１に配される各画素に行単位で順次、信号を供給する。これによって、画像データなどの信号電圧および基準電圧はそれぞれの画素１１０の容量素子１１６、１１７に保持され、信号電圧に応じた輝度で有機発光素子１１１が発光するように制御される。
【００２０】
図２に示す構成において、それぞれのトランジスタにはＰＭＯＳトランジスタが用いられるが、これに限られることはなく、ｎチャネル型のトランジスタ（ＮＭＯＳトランジスタ）を用いた構成であってもよい。また、駆動回路は、４つのトランジスタと２つの容量素子を含む４Ｔｒ２Ｃ回路構成に限られるものではない。また、トランジスタは、シリコンウェーハ上に形成したトランジスタを用いてもよいし、ガラス基板上に堆積した半導体膜に形成した薄膜トランジスタを用いてもよい。
【００２１】
画素１１０において、選択トランジスタ１１３は、垂直駆動回路１０３から走査線１２１を通してゲート電極に印加される書き込み信号に応答して導通状態になる。この動作によって輝度情報に応じた画像信号（信号電圧）または基準電圧を、信号線１２４からサンプリングする。信号線１２４から基準電圧をサンプリングすることによって、各画素の駆動トランジスタ１１２の閾値電圧ばらつきを補正し、閾値電圧ばらつきによる各画素の輝度ばらつきを低減することができる。画像信号または基準電圧は、駆動トランジスタ１１２のゲート電極に印加されるとともに容量素子１１６に保持される。
【００２２】
駆動トランジスタ１１２は飽和領域で動作するように設計されうる。駆動トランジスタ１１２は電源電位ＶＤＤからスイッチングトランジスタ１１４を介して電流の供給を受けて有機発光素子１１１を電流駆動にて発光させる。この際、容量素子１１６に保持された電圧に応じて有機発光素子１１１に流れる電流量が決まるため、有機発光素子１１１の発光量を制御することができる。スイッチングトランジスタ１１４は、垂直駆動回路１０３から走査線１２２を通して発光を制御するための信号がゲート電極に印加されることによって導通状態になる。すなわち、スイッチングトランジスタ１１４は、有機発光素子１１１の発光、非発光を制御する機能を有している。
【００２３】
スイッチングトランジスタ１１５は、垂直駆動回路１０３から走査線１２３を通して有機発光素子１１１のアノード電極の電位を制御するための信号がゲート電極に印加されることによって、アノード電極に電源電位ＶＳＳを選択的に供給する。有機発光素子１１１のカドード電極に接続された共通電源１２５の電圧をＶｃａｔｈ、有機発光素子１１１の閾値電圧をＶｔｈｅｌとすると、電源電位ＶＳＳは、ＶＳＳ  ＜  Ｖｃａｔｈ  ＋  Ｖｔｈｅｌの条件を満たすように設計される。これによって、スイッチングトランジスタ１１５が導通状態のとき、有機発光素子１１１に逆バイアスを印可し、有機発光素子１１１を非発光状態に制御することができる。
【００２４】
次に、図３（ａ）、（ｂ）を用いてそれぞれの画素１１０へ輝度情報である画像信号を供給する信号線１２４へ伝達するインタフェースの構成を説明する。本実施形態において、図３（ａ）に示すように、信号線１２４と画素１１０とを、複数の表示ブロック１２６に分けて制御する。複数の表示ブロック１２６のそれぞれは、複数の、列方向に延在する信号線１２４と、複数の信号線１２４の何れかにそれぞれ接続され、列方向および列方向と交差する行方向に行列状に配された複数の画素１１０を含む。各画素には、信号線１２４を介して画像信号が入力される。図３において、信号線１２４の延在する方向を列方向、列方向と交差する方向を行方向と呼ぶ。また、表示装置１００の水平駆動回路１０２と表示ブロック１２６との間には、画像信号を供給する信号線１２４を選択するための複数の選択回路１３１が配される。１つの選択回路１３１に１つの表示ブロック１２６が対応するように複数の選択回路１３１と複数の表示ブロック１２６とが配される。選択回路１３１は、映像信号線１３２から供給される画像信号を、出力端に接続された信号線１２４に選択的に出力可能な回路を用いる公知の回路であり、出力端ごとにスイッチ回路が設けられている。１つの選択回路１３１から出力される信号線１２４の数をＭ［本］、選択回路１３１の数をＮ［個］とした場合、信号線１２４の総数はＭ×Ｎ［本］となる。図３に示す構成において、複数の表示ブロック１２６のそれぞれの表示ブロック１２６において、含まれる信号線１２４の数がそれぞれ同じ９本ずつとなっている例を示している。このため、１つの選択回路１３１に対して、９本の信号線１２４を切替えて画像信号を出力可能とするために、１つの選択回路１３１内には、図３（ｂ）に示すように、画像信号を供給する信号線１２４を選択するためのスイッチ回路ＳＷが９個設けられる。また、図３（ａ）、（ｂ）に示す構成の場合、１つの表示ブロック１２６に配される複数の画素１１０のうち行方向に並ぶそれぞれの画素１１０に対して画像信号を供給する１つの水平走査期間内に、スイッチ回路ＳＷを用いて９回の画像信号の書き込み動作をおこなう。
【００２５】
ここで、図４、５を用いて本実施形態における課題を説明する。図４は、選択回路１３１を用いた駆動方法の比較例を示すタイミングチャートである。１つの水平走査期間において、複数の画素１１０のうち表示ブロック１２６の１行に配される９つの画素１１０に画像信号が供給される。ここで、１つの水平走査期間とは、ある行（ｎ行）において、信号線１２４に初期化電圧Ｖｒｅｆを書き込むタイミングから、次の行（ｎ＋１行）に初期化電圧Ｖｒｅｆを書き込むまでの期間のことをいう。図４には、３期間分の水平走査期間において、３行分の画像信号を書き込む動作が示されている。図３の「Ｖｓｉｇ」は、映像信号線１３２に供給される画像信号の電圧を示し、「ＳＷ１」〜「ＳＷ９」は、９本の信号線１２４をそれぞれ選択するためのスイッチ回路ＳＷの動作状況を示す。
【００２６】
まず、１つの行に含まれる画素１１０の駆動トランジスタ１１２の閾値補正を行う。映像信号線１３２（Ｖｓｉｇ）に初期化電圧Ｖｒｅｆが供給されている状態で、選択回路１３１は、スイッチ回路ＳＷ１〜ＳＷ９を同じタイミングでオン（導通）状態にする。これによって、一斉に初期化電圧Ｖｒｅｆが、信号線１２４に供給される。その後、映像信号線１３２に画像信号Ｖｓｉｇ１〜Ｖｓｉｇ９が順次供給され、選択回路１３１は、対応する信号線１２４に接続されるスイッチ回路ＳＷ１〜ＳＷ９を順次、オン状態にする。これによって、対応する信号線１２４に画像信号である画像信号Ｖｓｉｇ１〜Ｖｓｉｇ９が順次、供給される。図４に示す例では、１つの選択回路１３１に接続される９本の信号線１２４に対して、画像信号Ｖｓｉｇ１、Ｖｓｉｇ２、・・・、Ｖｓｉｇ９の順に画像信号が供給される。選択回路１３１は、これらの動作を１水平走査期間内に行う。それぞれの信号線１２４に供給された画像信号は、対応する行ごとに走査線１２１に信号が印加され、選択トランジスタ１１３が一斉にオン状態となることによって、それぞれの画素１１０の容量素子１１６に書き込まれる。信号線１２４は、配線容量を有するため、信号線１２４に供給された画像信号を、選択トランジスタ１１３がオン状態になるまでの間、保持することができる。また、選択回路１３１は、第ｎ水平走査期間以降の第ｎ＋１水平走査期間、第ｎ＋２水平走査期間においても同様の回路動作を繰り返し行うように駆動する。また、選択回路１３１は、全てのフレーム期間にまたがって同様の回路動作を繰り返し行うように駆動する。すなわち、すべての水平走査期間について、１水平走査期間での画像信号を供給する順番は、同じ順番になる。
【００２７】
１つの選択回路１３１に接続される表示ブロック１２６の９本の信号線１２４に、順番に画像信号が供給されるため、１水平走査期間内において画像信号の電圧が信号線１２４に保持される時間が、信号線１２４ごとに異なる。他の配線（走査線１２１、１２２、１２３、信号線１２４）とのカップリングや選択トランジスタ１１３などトランジスタのリーク電流などの影響によって、信号線１２４に保持される画像信号の電圧は、信号線１２４での保持時間の差に応じて変動しうる。画像信号が信号線１２４に保持される時間によって画像信号の電圧が変動した場合、表示ブロック１２６に含まれる信号線１２４に同じ電圧の画像信号を書き込んだ場合であっても、９本の信号線１２４間で電位差が生じる可能性がある。信号線１２４間に生じた電位差によって、有機発光素子１１１の発光に輝度差が生じるため、輝度差による縦縞状（列方向）の表示むらが発生する可能性がある。また、有機発光素子１１１は自発光ゆえ、長時間発光した際に徐々に輝度が低下しやすいため、信号線１２４間に生じた電位差に応じた輝度差が、経時的に変化する可能性がある。このように、図４に示す駆動方法を用いた場合、表示装置において、列ごとに輝度差が生じうる。
【００２８】
図５は、選択回路１３１を用いた駆動方法のもう１つの比較例を示すタイミングチャートである。映像信号線１３２に画像信号Ｖｓｉｇ１〜Ｖｓｉｎｇ９が供給される順番、および、対応する選択回路１３１のスイッチ回路ＳＷ１〜ＳＷ９をオン状態にし、画像信号を供給する信号線１２４を切替える順番が、図４で示す比較例と異なっている。これ以外は、図４と同様であってもよい。図５に示す例では、スイッチ回路ＳＷ１を最初にオン状態にし、スイッチ回路ＳＷ９、ＳＷ２、ＳＷ８、ＳＷ３と表示ブロック１２６の外側から内側に順にスイッチ回路ＳＷをオン状態にし、最後にスイッチ回路ＳＷ５をオン状態にして画像信号を書き込む。すなわち、スイッチ回路ＳＷ１に対応する表示ブロック１２６の一端の信号線１２４に最初に画像信号が供給され、スイッチ回路ＳＷ５に対応する中央の信号線１２４に最後に信号が供給される。表示ブロック１２６において、１水平走査期間内の最初に画像信号が供給される信号線１２４と最後に画像信号が供給される信号線１２４が隣接していないため、隣接する信号線１２４間に生じる輝度差は低減され、縦縞状の表示むらを緩和することができる。しかしながら、列（信号線１２４）ごとに信号が保持される時間が異なるため、縦縞状の表示むらが残存する。
【００２９】
次に、図６を用いて本実施形態における選択回路１３１の駆動方法を説明する。図６のタイミングチャートに示され駆動方法においても、選択回路１３１は、複数の画素１１０のうち行方向に並ぶ画素１１０それぞれに画像信号が書き込まれるように、複数の信号線１２４のうち画像信号を供給する信号線１２４を切替える。一方、選択回路１３１は、１つのフレーム期間において、行方向に並ぶ画素１１０のうち第１行に配される各画素に対応する複数の信号線１２４が選択される順番と、行方向に並ぶ画素１１０のうち第１行とは異なる第２行に配される各画素に対応する複数の信号線１２４が選択される順番と、が互いに異なる。つまり、図４、図５に示す比較例と異なり、スイッチ回路ＳＷをオン状態にして信号線１２４に画像信号を供給する順番が、１フレームの期間において、水平走査期間によって異なる。すなわち、ある１つのフレーム期間の中の任意の水平走査期間を抽出した場合、画像信号を信号線１２４に供給する順番が異なる水平走査期間が存在することになる。
【００３０】
まず、１つの行に含まれるそれぞれの画素１１０の駆動トランジスタ１１２の閾値補正を行う。映像信号線１３２（Ｖｓｉｇ）に初期化電圧Ｖｒｅｆが供給されている状態で、選択回路１３１は、スイッチ回路ＳＷ１〜ＳＷ９を同じタイミングでオン（導通）状態にする。これによって、一斉に初期化電圧Ｖｒｅｆが、信号線１２４に供給される。その後、映像信号線１３２に画像信号Ｖｓｉｇ１〜Ｖｓｉｇ９が順次供給され、選択回路１３１は、対応する信号線１２４に接続されたスイッチ回路ＳＷ１〜ＳＷ９を順次選択し、オン状態にする。これによって、それぞれ対応する信号線１２４に画像信号Ｖｓｉｇ１〜Ｖｓｉｇ９が順次、供給される。
【００３１】
本実施形態において、第ｎ水平走査期間では、選択回路１３１は、９本の信号線１２４に対して、スイッチ回路ＳＷ１、ＳＷ２、ＳＷ３、・・・、ＳＷ９の順番にオン状態にする。これに応じて、対応する信号線１２４には、画像信号Ｖｓｉｇ１、Ｖｓｉｇ２、Ｖｓｉｇ３、・・・、Ｖｓｉｇ９の順番で画像信号が供給される。その後、対応する行の走査線１２１に信号が印加され、当該走査線１２１に接続される選択トランジスタ１１３が一斉にオン状態となり、画像信号Ｖｓｉｇ１〜Ｖｓｉｇ９が、それぞれ対応する画素１１０の容量素子１１６に書き込まれる。
【００３２】
次いで、第ｎ水平走査期間で走査した行の次の行を走査する第ｎ＋１水平走査期間において、選択回路１３１は、９本の信号線１２４に対して、スイッチ回路ＳＷ９、ＳＷ８、ＳＷ７、・・・、ＳＷ１の順番でオン状態にする。これに応じて、信号線１２４には、画像信号Ｖｓｉｇ９、Ｖｓｉｇ８、Ｖｓｉｇ７、・・・、Ｖｓｉｇ１の順番で画像信号が供給される。その後、対応する行の走査線１２１に信号が印加され、当該走査線１２１に接続される選択トランジスタ１１３が一斉にオン状態となり、画像信号Ｖｓｉｇ１〜Ｖｓｉｇ９が、それぞれ対応する画素１１０の容量素子１１６に書き込まれる。
【００３３】
さらに、第ｎ＋２水平走査期間においては、第ｎ水平走査期間と同様の順で、選択回路１３１は、スイッチ回路ＳＷ１〜ＳＷ９をオン状態にして信号電圧を信号線１２４に供給する。第ｎ＋３水平走査期間以降においても、第ｎ＋１水平走査期間および第ｎ＋２水平走査期間と同様の順番で、画像信号がそれぞれの信号線１２４に供給される。
【００３４】
このように信号線１２４に画像信号を供給する順番を、水平走査期間によって異なる順番とすることによって、複数の水平走査期間で平均した場合、信号線１２４に画像信号が保持される時間をより均一にすることができる。このため、列ごとに発生する有機発光素子１１１の輝度差は、複数行で見た場合、平均化されるため、表示領域１０１全体として表示むらを抑制することが可能となる。
【００３５】
図６に示す構成では、１つのフレーム期間において、行列状に配された複数の画素１１０の互いに隣り合う行ごとに、選択回路１３１が、複数の信号線１２４のうち画像信号を供給する信号線１２４を選択する順番を変更する例を示した。しかしながら、これに限られることはなく、例えば、行列状に配された複数の画素１１０の１つ以上の行ごとに異なる順番で画像信号が書き込まれるように、選択回路１３１が、複数の信号線１２４のうち画像信号を供給する信号線１２４を切替えてもよい。つまり、複数の行ごとに、選択回路１３１が、複数の信号線１２４のうち画像信号を供給する信号線１２４を選択する順番を変更してもよい。また、本実施形態において、それぞれの水平走査期間によって、複数の信号線１２４のうち画像信号を供給する信号線１２４を選択する順番が、逆の順番になるように、選択回路１３１は、画像信号を供給する信号線１２４を選択したが、これに限られることはない。表示領域１０１全体において、複数の水平走査期間で平均した場合、信号線１２４に画像信号が保持される時間がより均一にできれば、いかなる順番の組み合わせであってもよい。例えば、本実施形態において、２種類の順番で信号線１２４に画像信号を供給する例を説明したが、画像信号を信号線１２４に供給する順番は、３種類以上であってもよい。
【００３６】
第２の実施形態
図７を参照して、本発明の実施形態による表示装置の構成およびその駆動方法について説明する。図７は、本発明の第２の実施形態における表示装置１００の選択回路１３１の駆動方法を説明するタイミングチャートである。上述の第１の実施形態と異なり、スイッチ回路ＳＷがオン状態にされ信号線１２４に画像信号を供給する順番が、フレーム期間によって異なる。ここで、１つのフレーム期間とは、任意の行において、信号線１２４に初期化電圧Ｖｒｅｆを書き込むタイミングから、次に当該行に初期化電圧Ｖｒｅｆを書き込むタイミングまでの期間のことをいう。選択回路１３１は、行方向に並ぶ画素１１０のうち第１行に配される各画素において、第１フレーム期間と第１フレーム期間と異なる第２フレーム期間とで、複数の信号線１２４のうち画像信号を供給する信号線１２４を選択する順番が異なる。すなわち、複数の画素１１０のうち行方向に並ぶ各画素において、任意のフレーム期間の水平走査期間を抽出した場合、画像信号を書き込む順番が異なる水平走査期間が存在することになる。
【００３７】
複数の画素１１０のうち行方向に並ぶ各画素において、第ｎフレーム期間では、９本の信号線１２４に対して、選択回路１３１は、スイッチ回路ＳＷ１、ＳＷ２、ＳＷ３、・・・、ＳＷ９の順番でオン状態にする。これに応じて、対応する信号線１２４には、画像信号Ｖｓｉｇ１、Ｖｓｉｇ２、Ｖｓｉｇ３、・・・、Ｖｓｉｇ９の順番で画像信号が供給される。その後、当該行の走査線１２１に信号が印加され、当該走査線１２１に接続される選択トランジスタ１１３が一斉にオン状態となり、画像信号が画素１１０の容量素子１１６に書き込まれる。当該行において、第ｎ＋１フレーム期間では、９本の信号線１２４に対して、選択回路１３１は、スイッチ回路ＳＷ９、ＳＷ８、ＳＷ７、・・・、ＳＷ１の順番でオン状態にする。これに応じて、対応する信号線１２４には、画像信号Ｖｓｉｇ９、Ｖｓｉｇ８、Ｖｓｉｇ７、・・・、Ｖｓｉｇ１の順で信号電圧が供給される。その後、当該行の走査線１２１に信号が印加され、当該走査線１２１に接続される選択トランジスタ１１３が一斉にオン状態となり、画像信号が画素１１０の容量素子１１６に書き込まれる。
【００３８】
さらに、第ｎ＋２フレーム期間においては、第ｎフレーム期間と同様の順で、選択回路１３１はスイッチ回路ＳＷをオン状態にすることで、対応する信号線１２４に画像信号が供給される。第ｎ＋３フレーム期間以降においても、第ｎ＋１水平走査期間および第ｎ＋２水平走査期間と同様の順番で、画像信号がそれぞれの信号線１２４に供給される。
【００３９】
このように信号線１２４に画像信号を供給する順番を、フレーム期間によって異なる順番とすることによって、複数のフレーム期間で平均した場合、信号線１２４に画像信号が保持される時間をより均一にすることができる。このため、列ごとに発生する有機発光素子１１１の輝度差は、複数フレームごとに平均化されるため、時間軸上で有機発光素子１１１の輝度差が平均化され、表示領域１０１全体として表示むらを抑制することが可能となる。
【００４０】
図７に示す構成では、複数の画素１１０のうち行方向に並ぶ１つの行において、互いに隣り合うフレーム期間ごとに、選択回路１３１が、複数の信号線１２４のうち画像信号を供給する信号線１２４を選択する順番を変更する例を示した。しかしながら、これに限られることはなく、例えば、１つの行において、１つ以上のフレーム期間ごとに、異なる順番で画像信号が供給されるように、選択回路１３１が、複数の信号線１２４のうち画像信号を供給する信号線１２４を切替えてもよい。つまり、複数のフレームごとに、選択回路１３１が、複数の信号線１２４のうち画像信号を供給する信号線１２４を選択する順番が異なっていてもよい。複数のフレーム期間で平均した場合、それぞれの信号線１２４に画像信号が保持される時間がより均一にできればよい。
【００４１】
第３の実施形態
図８、９を参照して、本発明の実施形態による表示装置の構成およびその駆動方法について説明する。図８は、本発明の第３の実施形態における表示装置１００の選択回路１３１の駆動方法を説明するタイミングチャートである。
【００４２】
上述の第１の実施形態および第２の実施形態では、水平走査期間、または、フレーム期間の何れかによって信号線１２４に画像信号を供給する順番を変更することによって、それぞれの信号線１２４に画像信号が保持される時間がより均一になるようにした。一方、本実施形態において、図８に示されるように、水平走査期間およびフレーム期間の両方で、異なる順番で信号線１２４に画像信号が供給されるように、選択回路１３１は、複数の信号線１２４のうち信号を供給する信号線１２４を切替える。図８において、選択回路１３１は、第ｎフレーム期間では、水平走査期間ごとに、換言すると行列状に配された複数の画素１１０のうち互いに隣り合う行ごとに、異なる順番で画像信号が供給されるように、画像信号を供給する信号線１２４を選択する。次いで、選択回路１３１は、第ｎ＋１フレーム期間では、複数の画素１１０のうち行方向に並ぶそれぞれ行において、第ｎフレーム期間とは異なる順番で画像信号が供給されるように、画像信号を供給する信号線１２４を選択する。このように信号線１２４に画像信号を供給する順番を、水平走査期間およびフレーム期間によって異なる順番とするように選択回路１３１を駆動することによって、信号線１２４に画像信号が保持される時間をより均一にすることができる。結果として、表示装置１００において列ごとの輝度差が低減され、表示領域１０１全体の表示むらが抑制される。
【００４３】
また、図６〜８に示される構成において、選択回路１３１は、ある水平走査期間（または、フレーム期間）では、複数の信号線１２４のうち行方向に並ぶ一端の側（スイッチ回路ＳＷ１の側の端）から他端（スイッチ回路ＳＷ９の側の端）の側の順番で画像信号を供給する信号線１２４を選択する。次いで、選択回路１３１は、当該水平走査期間（または、フレーム期間）とは異なる水平走査期間（または、フレーム期間）では、複数の信号線１２４のうち行方向に並ぶ他端の側（スイッチ回路ＳＷ９の側の端）から一端の側（スイッチ回路ＳＷ１の側の端）の順番で画像信号を供給する信号線１２４を選択する。しかしながら、選択回路１３１が複数の信号線１２４のうち画像信号を供給する信号線１２４を選択する順番は、これに限られることはない。図９に示すように、選択回路１３１は、ある水平走査期間（または、フレーム期間）では、複数の信号線１２４のうち外側に配された信号線１２４から内側に配された信号線１２４の順番で画像信号を供給する信号線１２４を選択する。次いで、選択回路１３１は、当該水平走査期間（または、フレーム期間）とは異なる水平走査期間（または、フレーム期間）では、複数の信号線１２４のうち内側に配された信号線から外側に配された信号線１２４の順番で画像信号を供給する信号線１２４を選択してもよい。
【００４４】
例えば、図９に示すように、ある水平走査期間（または、フレーム期間）では、まず、選択回路１３１は、複数の信号線１２４のうち一番外側にあるスイッチ回路ＳＷ１（または、スイッチ回路ＳＷ９）に接続された信号線１２４を選択して、画像信号を供給する。次いで、選択回路１３１は、もう一方の外側にあるスイッチ回路ＳＷ９（または、スイッチ回路ＳＷ１）に接続された信号線１２４を選択して、画像信号を供給する。次に、選択回路１３１は、まだ選択されていない信号線１２４のうち外側にあるスイッチ回路ＳＷ２（または、スイッチ回路ＳＷ８）に接続された信号線１２４を選択して、画像信号を供給する。これを順々に繰り返し、最後に、選択回路１３１は、複数の信号線１２４のうち一番内側にあるスイッチ回路ＳＷ５に接続された信号線１２４を選択して、画像信号を供給する。また、上述の水平走査期間（または、フレーム期間）とは異なる水平走査期間（または、フレーム期間）では、まず、複数の信号線１２４のうち一番内側にあるスイッチ回路ＳＷ５に接続された信号線１２４を選択して、画像信号を供給する。次いで、選択回路１３１は、まだ選択されていない信号線１２４のうち内側にあるスイッチ回路ＳＷ６（または、スイッチ回路ＳＷ４）に接続された信号線１２４を選択して、画像信号を供給する。次に、選択回路１３１は、まだ選択されていない信号線１２４のうち内側にあるスイッチ回路ＳＷ４（または、スイッチ回路ＳＷ６）に接続された信号線１２４を選択して、画像信号を供給する。これを順々に繰り返し、最後に、選択回路１３１は、複数の信号線１２４のうち一番外側にあるスイッチ回路ＳＷ１（スイッチ回路ＳＷ９）に接続された信号線１２４を選択して、画像信号を供給する。
【００４５】
図５に示す比較例と同様に、１水平走査期間内の最初に画像信号が書き込まれる信号線１２４と最後に画像信号が書き込まれる信号線１２４が隣接していないように、選択回路１３１が、画像信号を供給する信号線１２４を選択する。これによって、互いに隣接する表示ブロック１２６の信号線１２４間に生じる輝度差は低減され、縦縞状の表示むらを緩和することができる。また、信号線１２４に画像信号を書き込む順番を、水平走査期間およびフレーム期間によって異なる順番とすることによって、信号線１２４に画像信号が保持される時間をより均一にできる。これによって、表示装置１００における列ごとの輝度差が低減され、表示領域１０１全体として表示むらを抑制することが可能となる。
【００４６】
以上、本発明に係る実施形態を３形態示したが、本発明はこれらの実施形態に限定されないことはいうまでもなく、本発明の要旨を逸脱しない範囲で、上述した実施形態は適宜変更、組み合わせが可能である。
【００４７】
以上のような表示装置１００は、種々の電子機器に組み込まれうる。そのような電子機器としては、例えば、カメラ、コンピュータ、携帯端末、車載表示装置等を挙げることができる。電子機器は、例えば、表示装置１００と、表示装置１００の駆動を制御する制御部とを含みうる。
【００４８】
ここでは、上述の表示装置１００をデジタルカメラの表示部に適用した実施形態について図１０を用いて説明する。レンズ部１００１は被写体の光学像を撮像素子１００５に結像させる撮像光学系であり、フォーカスレンズや変倍レンズ、絞りなどを有している。レンズ部１００１におけるフォーカスレンズ位置、変倍レンズ位置、絞りの開口径などの駆動はレンズ駆動装置１００２を通じて制御部１００９によって制御される。
【００４９】
メカニカルシャッタ１００３はレンズ部１００１と撮像素子１００５の間に配置され、駆動はシャッタ駆動装置１００４を通じて制御部１００９によって制御される。撮像素子１００５は複数の画素によってレンズ部１００１で結像された光学像を画像信号に変換する。信号処理部１００６は撮像素子１００５から出力される画像信号にＡ／Ｄ変換、デモザイク処理、ホワイトバランス調整処理、符号化処理などを行う。
【００５０】
タイミング発生部１００７は撮像素子１００５および信号処理部１００６に、各種タイミング信号を出力する。制御部１００９は、例えばメモリ（ＲＯＭ，ＲＡＭ）とマイクロプロセッサ（ＣＰＵ）を有し、ＲＯＭに記憶されたプログラムをＲＡＭにロードしてＣＰＵが実行して各部を制御することによって、デジタルカメラの各種機能を実現する。制御部１００９が実現する機能には、自動焦点検出（ＡＦ）や自動露出制御（ＡＥ）が含まれる。
【００５１】
メモリ部１００８は制御部１００９や信号処理部１００６が画像データを一時的に記憶したり、作業領域として用いたりする。媒体Ｉ／Ｆ部１０１０は例えば着脱可能なメモリカードである記録媒体１０１１を読み書きするためのインタフェースである。表示部１０１２は、撮影した画像やデジタルカメラの各種情報を表示する。表示部１０１２には、上述の表示装置１００が適用できる。表示部１０１２としてデジタルカメラに搭載された表示装置１００は、制御部１００９によって駆動され、画像や各種情報を表示する。操作部１０１３は電源スイッチ、レリーズボタン、メニューボタンなど、ユーザがデジタルカメラに指示や設定を行うためのユーザインタフェースである。
【００５２】
次いで、撮影時のデジタルカメラの動作について説明する。電源がオンされると、撮影スタンバイ状態となる。制御部１００９は、表示部１０１２（表示装置１００）を電子ビューファインダーとして動作させるための動画撮影処理および表示処理を開始する。撮影スタンバイ状態において撮影準備指示（例えば操作部１０１３のレリーズボタンの半押し）が入力されると、制御部１００９は焦点検出処理を開始する。
【００５３】
そして、制御部１００９は得られたデフォーカス量と方向とから、レンズ部１００１のフォーカスレンズの移動量および移動方向を求め、レンズ駆動装置１００２を通じてフォーカスレンズを駆動し、撮像光学系の焦点を調節する。駆動後、必要に応じてコントラスト評価値に基づく焦点検出をさらに行ってフォーカスレンズ位置を微調整しても良い。
【００５４】
その後、撮影開始指示（例えばレリーズボタンの全押し）が入力されると、制御部１００９は記録用の撮影動作を実行し、得られた画像データを信号処理部１００６で処理し、メモリ部１００８に記憶する。そして、制御部１００９はメモリ部１００８に記憶した画像データを、媒体制御Ｉ／Ｆ部１０１０を通じて記録媒体１０１１に記録する。また、このとき制御部１００９は、撮影した画像を表示するように、表示部１０１２（表示装置１００）を駆動してもよい。また、制御部１００９は、図示しない外部Ｉ／Ｆ部から画像データをコンピュータ等の外部装置に出力してもよい。
【符号の説明】
【００５５】
１００：表示装置、１１０：画素、１１１：発光素子、１１６、１１７：容量素子、１２４：信号線、１２６：表示ブロック、１３１：選択回路
【図１】
2018200343.tif 000003
【図２】
2018200343.tif 000004
【図３】
2018200343.tif 000005
【図４】
2018200343.tif 000006
【図５】
2018200343.tif 000007
【図６】
2018200343.tif 000008
【図７】
2018200343.tif 000009
【図８】
2018200343.tif 000010
【図９】
2018200343.tif 000011
【図１０】
2018200343.tif 000012